(57)【要約】【課題】  記録スピードを低下することなく、回転負荷変動により生ずる中間転写体の各色間の位相ずれを小さくして色ずれのないカラー画像を得るとともに、バンディングのない良好なカラー画像を得る。【解決手段】  はじめに、駆動モータ４０の回転を、歯付きの駆動伝達ベルト４５を用いた第１の駆動伝達手段４１を介して中間転写体１６に伝達する。次いで、歯付きの駆動伝達ベルト５０を用いた第２の駆動伝達手段４２を介して感光体１１に伝達する。そして、１つの駆動モータ４０で感光体１１を駆動するとともに中間転写体１６を駆動し、感光体１１上に形成した単色画像を順次転写して中間転写体１６にカラー画像を形成し、そのカラー画像を一括転写して用紙にカラー記録を行う。【選択図】      図４
2004348168.tif 000002
【特許請求の範囲】
【請求項１】
１つの駆動モータで感光体を駆動するとともにベルトを用いた中間転写体を駆動し、前記感光体に単色画像を形成し、その単色画像を順次転写して前記中間転写体にカラー画像を形成し、そのカラー画像を一括転写して用紙にカラー記録を行う電子写真式カラー記録装置において、前記駆動モータの回転をはじめに第１の駆動伝達手段を介して前記中間転写体に伝達し、次いで第２の駆動伝達手段を介して前記感光体に伝達するとともに、前記第２の駆動伝達手段に少なくとも１の駆動伝達ベルトを用いてなる、電子写真式カラー記録装置。
【請求項２】
前記第１の駆動伝達手段として歯付きの駆動伝達ベルトを用いてなる、請求項１に記載の電子写真式カラー記録装置。
【請求項３】
前記感光体と前記中間転写体とを用いて１つのプロセスカートリッジを構成し、装置本体に対して着脱自在に設ける一方、前記第１および第２の駆動伝達手段を前記装置本体側に設けてなる、請求項１に記載の電子写真式カラー記録装置。
【請求項４】
前記プロセスカートリッジと前記第１および第２の駆動伝達手段とを各々カップリングを介して連結してなる、請求項３に記載の電子写真式カラー記録装置。
【請求項５】
前記中間転写体のカラー画像を用紙に一括転写する合成画像転写装置の転写ローラとその一括転写後の前記中間転写体の残留現像剤を除去する中間転写体クリーニング装置のクリーニング部材のいずれか一方または双方を、前記中間転写体のベルトを掛け渡す駆動ローラの外周に押し当ててなる、請求項１に記載の電子写真式カラー記録装置。
【請求項６】
前記感光体を、駆動ローラと従動ローラ間に感光体ベルトを掛け渡して構成し、画像転写後の該感光体ベルト上の残留現像剤を除去する感光体クリーニング装置のクリーニング部材を、前記駆動ローラの外周に押し当ててなる、請求項１に記載の電子写真式カラー記録装置。
【請求項７】
前記感光体を、駆動ローラと従動ローラ間に感光体ベルトを掛け渡して構成し、該感光体ベルトへの画像書込み位置を前記駆動ローラの外周に設けてなる、請求項１に記載の電子写真式カラー記録装置。
【発明の詳細な説明】
【技術分野】
【０００１】
この発明は、レーザプリンタ・レーザ複写機・レーザファクシミリや、あるいはそれらの複合機など、事務所用や家庭用等の電子写真式記録装置に適用し得る。詳しくは、感光体に単色画像を形成し、その単色画像を順次転写して中間転写体にカラー画像を形成し、そのカラー画像を一括転写して用紙にカラー記録を行う電子写真式カラー記録装置に関する。
【背景技術】
【０００２】
従来、この種の電子写真式カラー記録装置にあっては、各色間の位相ずれから色ずれを生ずることがあり、その発生原因の１つに感光体および中間転写体の回転速度むらがあった。回転速度むらを生ずる原因としては、駆動モータ自身の回転速度むら、歯車のピッチむらやピッチ円の偏心等の駆動伝達手段の製作精度誤差、感光体や中間転写体に加わる回転負荷変動などがあった。
【０００３】
そこで、従来のものの中には、特開平８ー１３７１８０号公報に示すように、１つの駆動モータで感光体と中間転写体とを駆動するとともに、それらに回転を伝達する駆動伝達手段を各々同一形状の歯車を使用して構成したものがある。
【０００４】
また、特開平８ー２２７２００号公報に示すように、駆動伝達手段に、歯付きベルトを使用して構成したものがある。
【発明の開示】
【発明が解決しようとする課題】
【０００５】
確かに、このような従来のカラー記録装置では、中間転写体のカラー画像を一括転写して用紙にカラー記録終了後、次の記録を開始する場合には一定の効果を発揮することができる。
【０００６】
しかし、それでは、記録スピードが低下することとなるから、現実にはカラー記録終了前に次の記録を開始する必要がある。すると、合成画像転写や中間転写体クリーニング時に生ずる中間転写体における回転負荷変動が次の画像形成に影響を及ぼし、中間転写体上のカラー画像に色ずれを生ずる問題があった。特に、駆動モータから中間転写体までの駆動伝達経路が長い場合に問題となった。
【０００７】
よって、この発明の目的は、記録スピードを低下することなく、回転負荷変動により生ずる中間転写体の各色間の位相ずれを小さくして色ずれのないカラー画像を得るとともに、バンディングのない良好なカラー画像を得ることにある。
【課題を解決するための手段】
【０００８】
そのため、請求項１に記載の発明は、たとえば以下の図示実施の形態で説明するとおり、１つの駆動モータ４０でたとえばベルト状の感光体１１を駆動するとともにベルトを用いた中間転写体１６を駆動し、前記感光体１１にたとえばイエロー・マゼンタ・シアンの各単色画像を形成し、その単色画像を順次転写して前記中間転写体１６にそれらイエロー・マゼンタ・シアンよりなる合成カラー画像を形成し、そのカラー画像を一括転写して用紙Ｐにカラー記録を行う電子写真式カラー記録装置において、前記駆動モータ４０の回転をはじめに第１の駆動伝達手段４１を介して前記中間転写体１６に伝達し、次いで第２の駆動伝達手段４２を介して前記感光体１１に伝達するとともに、前記第２の駆動伝達手段４２に少なくとも１の駆動伝達ベルト５０を用いてなる、ことを特徴とする。
【０００９】
そして、この請求項１に記載の発明では、記録時、駆動モータ４０の回転をはじめに第１の駆動伝達手段４１を介して中間転写体１６に伝達し、次いで少なくとも１の駆動伝達ベルト５０を用いてなる第２の駆動伝達手段４２を介して感光体１１に伝達する。
【００１０】
請求項２に記載の発明は、そのような請求項１に記載の電子写真式カラー記録装置において、たとえば以下の図示実施の形態で説明するとおり、前記第１の駆動伝達手段４１として歯付きの駆動伝達ベルト４５を用いてなる、ことを特徴とする。
【００１１】
そして、この請求項２に記載の発明では、記録時、駆動モータ４０の回転を、歯付きの駆動伝達ベルト４５を用いてなる第１の駆動伝達手段４１を介して中間転写体１６に伝達する。
【００１２】
請求項３に記載の発明は、上記請求項１に記載の電子写真式カラー記録装置において、たとえば以下の図示実施の形態で説明するとおり、前記感光体１１と前記中間転写体１６とを用いて１つのプロセスカートリッジ３５を構成し、装置本体１０に対して着脱自在に設ける一方、前記第１および第２の駆動伝達手段４１・４２を前記装置本体１０側に設けてなる、ことを特徴とする。
【００１３】
そして、この請求項３に記載の発明では、感光体１１または中間転写体１６が寿命となったとき、第１および第２の駆動伝達手段４１・４２はそのまま装置本体１０内に残してプロセスカートリッジ３５のみを取り出し、新しいものと交換する。
【００１４】
請求項４に記載の発明は、そのような請求項３に記載の電子写真式カラー記録装置において、たとえば以下の図示実施の形態で説明するとおり、前記プロセスカートリッジ３５と前記第１および第２の駆動伝達手段４１・４２とを各々カップリング４６・５２を介して連結してなる、ことを特徴とする。
【００１５】
そして、この請求項４に記載の発明では、プロセスカートリッジ３５を取り付けるとき、装置本体１０側に設ける第１および第２の駆動伝達手段４１・４２と各々カップリング４６・５２を介して連結する。
【００１６】
請求項５に記載の発明は、上記した請求項１に記載の電子写真式カラー記録装置において、たとえば以下の図示実施の形態で説明するとおり、前記中間転写体１６のカラー画像を用紙Ｐに一括転写する合成画像転写装置２１の転写ローラ２１ａとその一括転写後の前記中間転写体１６の残留現像剤を除去する中間転写体クリーニング装置２２のクリーニング部材２２ａのいずれか一方または双方を、前記中間転写体１６の中間転写ベルト１６ｃを掛け渡す駆動ローラ１６ａの外周に押し当ててなる、ことを特徴とする。
【００１７】
そして、この請求項５に記載の発明では、記録時、合成画像転写装置２１の転写ローラ２１ａと中間転写体クリーニング装置２２のクリーニング部材２２ａのいずれか一方または双方の押し当て力を、中間転写体１６の中間転写ベルト１６ｃを掛け渡す駆動ローラ１６ａの外周で受ける。
【００１８】
請求項６に記載の発明は、上記した請求項１に記載の電子写真式カラー記録装置において、たとえば以下の図示実施の形態で説明するとおり、前記感光体１１を、駆動ローラ１１ａと従動ローラ１１ｂ間に感光体ベルト１１ｃを掛け渡して構成し、画像転写後の該感光体ベルト１１ｃ上の残留現像剤を除去する感光体クリーニング装置１７のクリーニング部材１７ａを、前記駆動ローラ１１ａの外周に押し当ててなる、ことを特徴とする。
【００１９】
そして、この請求項６に記載の発明では、記録時、感光体クリーニング装置１７のクリーニング部材１７ａの押し当て力を、感光体ベルト１１ｃを掛け渡す感光体１１の駆動ローラ１１ａの外周で受ける。
【００２０】
請求項７に記載の発明は、上記した請求項１に記載の電子写真式カラー記録装置において、たとえば以下の図示実施の形態で説明するとおり、前記感光体１１を、駆動ローラ１１ａと従動ローラ１１ｂ間に感光体ベルト１１ｃを掛け渡して構成し、該感光体ベルト１１ｃへの画像書込み位置Ａを前記駆動ローラ１１ａの外周に設けてなる、ことを特徴とする。
【００２１】
そして、この請求項７に記載の発明では、記録時、感光体１１の駆動ローラ１１ａ外周の画像書込み位置Ａで画像を書き込む。
【発明の効果】
【００２２】
したがって、請求項１に記載の発明によれば、記録時、駆動モータの回転をはじめに第１の駆動伝達手段を介して中間転写体に伝達し、次いで第２の駆動伝達手段を介して感光体に伝達するから、部品点数を増やすことなく、駆動モータから中間転写体までの駆動伝達経路を短くし、回転負荷変動により生ずる中間転写体の各色間の位相ずれを小さくして色ずれのないカラー画像を得ることができる。また、第２の駆動伝達手段に少なくとも１の駆動伝達ベルトを用いるから、その駆動伝達ベルトで回転速度むらをなくしてバンディングのない良好なカラー画像を得ることができる。
【００２３】
請求項２に記載の発明によれば、第１の駆動伝達手段としても歯付きの駆動伝達ベルトを用い、記録時には駆動モータの回転をその歯付きの駆動伝達ベルトを介して中間転写体に伝達するから、同駆動伝達ベルトで回転速度むらをなくして一層バンディングのない良好なカラー画像を得ることができる。
【００２４】
請求項３に記載の発明によれば、さらに、感光体と中間転写体とを用いて１つのプロセスカートリッジを構成し、感光体または中間転写体が寿命となったときにはそのプロセスカートリッジごと取り出して新しいものと交換するから、それらの交換作業性を高めることができる。その交換作業時には、高精度につくりかつ微調整した第１および第２の駆動伝達手段はそのまま装置本体内に残してプロセスカートリッジのみを新しいものと交換するから、プロセスカートリッジの単価を下げ、メンテナンス費用の低減を図ることができる。
【００２５】
請求項４に記載の発明によれば、プロセスカートリッジと第１および第２の駆動伝達手段とを各々カップリングを介して連結するから、さらにそのカップリングで、両者間の軸心ずれとか両者の偏心や軸角のずれとかを吸収し、また回転速度むらの発生を防止することができる。これにより、プロセスカートリッジと第１および第２の駆動伝達手段の位置精度に余裕を持たせ、製作コストの低減を図ることができる。
【００２６】
請求項５に記載の発明によれば、記録時、転写ローラとクリーニング部材のいずれか一方または双方の押し当て力を、中間転写体のベルトを掛け渡す駆動ローラの外周で受けるから、転写ローラやクリーニング部材に起因する回転負荷変動に基づき、中間転写体のベルトが伸縮することを防ぎ、一層色ずれのないカラー画像を得ることができる。
【００２７】
請求項６に記載の発明によれば、記録時、クリーニング部材の押し当て力を、感光体ベルトを掛け渡す駆動ローラの外周で受けるから、クリーニング部材に起因する回転負荷変動に基づき、感光体ベルトが伸縮することを防ぎ、一層色ずれのないカラー画像を得ることができる。
【００２８】
請求項７に記載の発明によれば、記録時、感光体の駆動ローラの外周で画像を書き込むから、回転速度むらに基づく感光体ベルトの伸縮の影響を受けず、一層バンディングのない良好なカラー画像を得ることができる。
【発明を実施するための最良の形態】
【００２９】
以下、図面を参照しつつ、この発明の実施の形態につき説明する。
図１は、この発明によるカラーレーザプリンタにおける内部機構の全体概略構成図である。
【００３０】
図中符号１０は、プリンタ装置本体である。プリンタ装置本体１０には、その外装ケース１２内の中央やや正面寄り（図中右寄り）に、感光体１１を備える。感光体１１は、図２にも示すとおり、駆動ローラ１１ａと従動ローラ１１ｂ間にエンドレスの感光体ベルト１１ｃを掛け渡してなる。
【００３１】
そして、感光体１１のまわりには、その下に設ける帯電装置１３から感光体ベルト１１ｃの図中矢印する搬送方向ａに順に、多色現像装置１４、黒色現像装置１５、中間転写体１６、感光体クリーニング装置１７、除電装置１８を備える。また、多色現像装置１４の下側にレーザ書込み装置１９を備える。
【００３２】
多色現像装置１４は、円筒ケース１４ａ内に、中心軸１４ｂで支持して支持フレーム１４ｃを設ける。その支持フレーム１４ｃに、それぞれイエローの現像剤を収納した現像器とマゼンタの現像剤を収納した現像器とシアンの現像剤を収納した現像器を取り付ける。そして、中心軸１４ｂを中心として支持フレーム１４ｃを回動して各現像器の後述する現像ローラ６３を、順次感光体ベルト１１ｃに接触可能とする。
【００３３】
各現像器には、図２から判るとおり、スクリュー状の第１の現像剤搬送部材６０と第２の現像剤搬送部材６１と供給ローラ６２と現像ローラ６３をそれぞれ平行に設ける。
【００３４】
そして、そのような多色現像装置１４の一端には、図３に示すように、各色ごとの扇型の現像剤収納部６５を設けて全体円形に組合せるとともに、各現像剤収納部６５の外側に、それぞれその現像剤収納部６５に現像剤を補給する現像剤カートリッジ６６を着脱自在に取り付ける。
【００３５】
図２にも示すとおり、黒色現像装置１５は、その現像ケース１５ａ内に、アジテータ１５ｂ・１５ｃや供給ローラ１５ｄや現像ローラ１５ｅなどを有する。そして、常時は図中左に設ける不図示のカムに向けてばね付勢する一方、使用時はそのカムを回転して現像ローラ１５ｅを適宜感光体ベルト１１ｃに接触する。
【００３６】
中間転写体１６は、駆動ローラ１６ａと従動ローラ１６ｂ間にエンドレスの中間転写ベルト１６ｃを掛け渡し、その一部を感光体ベルト１１ｃに接触する。その接触位置の内側には、感光体画像転写装置１６ｄを設ける。そして、駆動ローラ１６ａの外周には、右横から合成画像転写装置２１の転写ローラ２１ａを押し当て、左横から中間転写体クリーニング装置２２のクリーニング部材２２ａを押し当てる。
【００３７】
それらの転写ローラ２１ａおよびクリーニング部材２２ａは、各々図示しない接離機構で移動可能とし、記録時には中間転写ベルト１６ｃに対して適宜接離する。
【００３８】
感光体クリーニング装置１７は、クリーニング部材１７ａを感光体１１の駆動ローラ１１ａの外周に押し当てる。そして、そのクリーニング部材１７ａで、画像転写後の感光体ベルト１１ｃ上の残留現像剤を除去して内部に回収保管する。
【００３９】
レーザ書込み装置１９は、書込み情報に基づきレーザ光Ｌを照射し、駆動ローラ１１ａの外周に設ける画像書込み位置Ａで書込みを行い、感光体ベルト１１ｃ上に静電潜像を形成する。
【００４０】
ところで、プリンタ装置本体１０には、また、黒色現像装置１５の上側に定着装置２４を備え、その定着装置２４の左側に排紙ローラ対２５を備え、さらにその左側のプリンタ装置本体１０上に排紙スタック部２６を備える。定着装置２４は、ヒータを内蔵した定着ローラ２４ａと、その定着ローラ２４ａに押し当てる加圧ローラ２４ｂと、定着ローラ２４ａの周面にオイルを塗布するオイル供給機構部２４ｃとを設ける。
【００４１】
さらに、プリンタ装置本体１０には、図示しないが、この他にもたとえば多色現像装置１４の左側に電装装置を備え、その上側に換気用のファンを備える。また、底部に、用紙Ｐを収納した給紙カセット２８を出し入れ自在に設ける。
【００４２】
さていま、この図示プリンタを用いて記録を行うときは、給紙ローラ２９を回転して給紙カセット２８内の用紙Ｐを繰り出し、搬送ローラ対３０で給紙路３１を通して搬送してレジストローラ対３２に突き当てて止める。
【００４３】
同時に、感光体ベルト１１ｃを搬送方向ａに搬送し、中間転写ベルト１６ｃを搬送方向ｂに搬送する。そして、まず感光体ベルト１１ｃの搬送にともない、その表面を帯電装置１３で一様に帯電し、次いで第１色の書込み情報に基づきレーザ書込み装置１９でレーザ光Ｌを照射して感光体ベルト１１ｃ上に第１色の静電潜像を形成する。
【００４４】
そして、多色現像装置１４位置で、感光体ベルト１１ｃと接触する現像位置に移動した第１の現像器で第１色の現像剤を付着してその静電潜像を現像し、可視像を感光体画像転写装置１６ｄで中間転写ベルト１６ｃ上にいったん転写する。その画像転写後、感光体ベルト１１ｃ上に残った第１色の残留現像剤を、感光体クリーニング装置１７のクリーニング部材１７ａで除去する。
【００４５】
その後、第２色および第３色の画像を形成するときは、各々の書込み情報に基づき、同様に、レーザ書込みを行って各々の静電潜像を形成し、第２および第３の現像器を各々感光体ベルト１１ｃと接触する現像位置に移動して静電潜像を現像し、それら可視像を各々中間転写ベルト１６ｃ上に転写し、画像転写後に感光体ベルト１１ｃ上をクリーニングする。
【００４６】
また、黒色現像剤を使用するときは、同様に、その書込み情報に基づきレーザ書込みを行って静電潜像を形成し、黒色現像装置１５の現像ローラ１５ｅを感光体ベルト１１ｃに接触して静電潜像を現像し、その可視像を中間転写ベルト１６ｃ上に転写し、画像転写後に感光体ベルト１１ｃ上をクリーニングする。
【００４７】
なお、感光体ベルト１１ｃの各クリーニング後は、その表面を除電装置１８で除電し、次の書込みに備える。
【００４８】
上述のようにして中間転写ベルト１６ｃ上に合成カラー画像を形成した後に、合成画像転写装置２１の転写ローラ２１ａおよび中間転写体クリーニング装置２２のクリーニング部材２２ａを移動して中間転写ベルト１６ｃに接触する一方、レジストローラ対３２でタイミングをとって用紙Ｐを転写ローラ２１ａと中間転写ベルト１６ｃ間へ搬送する。そして、中間転写ベルト１６ｃ上の合成カラー画像を転写ローラ２１ａで用紙Ｐの下面に転写する。
【００４９】
その画像転写後、用紙Ｐは、その記録面を下にして搬送路３３を通して定着ローラ２４ａと加圧ローラ２４ｂ間へ搬送する。そして、そのローラ間で熱と圧力を加えて転写画像を定着し、その定着後、排紙ローラ対２５で排紙口３４から排紙スタック部２６上へ排出して順次スタックする。
【００５０】
一方、中間転写ベルト１６ｃ上への画像転写後は、中間転写体クリーニング装置２２のクリーニング部材２２ａで中間転写ベルト１６ｃ上に残った現像剤をクリーニングし、図示省略するがこの例では回収現像剤を感光体クリーニング装置１７に向けて搬送する。
【００５１】
さて、図示プリンタでは、感光体１１および中間転写体１６を、帯電装置１３・中間転写体クリーニング装置２２・レジストローラ対３２とともに、一体にまとめてフレーム３５ａで支持し、その全体をプロセスカートリッジ３５としてプリンタ装置本体１０に対して着脱可能としてなる。なお、プロセスカートリッジ３５には、感光体クリーニング装置１７を、回収現像剤をそのまま廃棄可能に交換自在に設ける。
【００５２】
ところで、この発明では、図４に示すとおり、１つの駆動モータ４０の回転をはじめ第１の駆動伝達手段４１を介して中間転写体１６に伝達し、次いで第２の駆動伝達手段４２を介して感光体１１に伝達する。
【００５３】
第１の駆動伝達手段４１は、モータプーリ４３と第１の中間プーリ４４間に歯付きの第１の駆動伝達ベルト４５を掛け渡し、その第１の中間プーリ４４と同軸に第１のカップリング４６の凸部側４６ａを設けて構成する。第１のカップリング４６の凹部側４６ｂは、図４に示すとおり、中間転写体１６の駆動ローラ１６ａの軸端に設ける。
【００５４】
他方、第２の駆動伝達手段４２は、第１の中間プーリ４４と同軸に設ける第２の中間プーリ４７と第１の駆動伝達歯車４８と同軸に設ける第３の中間プーリ４９間に歯付きの第２の駆動伝達ベルト５０を掛け渡し、第１の駆動伝達歯車４８を第２の駆動伝達歯車５１と噛み合わせ、その第２の駆動伝達歯車５１と同軸に第２のカップリング５２の凸部側５２ａを設けて構成する。第２のカップリング５２の凹部側５２ｂは、図４に示すとおり、感光体１１の駆動ローラ１１ａの軸端に設ける。
【００５５】
そして、プロセスカートリッジ３５を取り付けるとき、第１のカップリング４６の凹部側４６ｂに凸部側４６ａを、第２のカップリング５２の凹部側５２ｂに凸部側５２ａを入れ、プリンタ装置本体１０側に設ける第１および第２の駆動伝達手段４１・４２と各々のカップリング４６・５２を介して連結する。
【００５６】
これにより、１つの駆動モータ４０で感光体１１を駆動するとともに中間転写体１６を駆動し、上述したとおり感光体１１に単色画像を形成し、その単色画像を順次転写して中間転写体１６にカラー画像を形成し、そのカラー画像を一括転写して用紙Ｐにカラー記録を行う。
【００５７】
なお、図示例では、第１の駆動伝達歯車４８と第２の駆動伝達歯車５１とを設け、それらを噛み合わせて感光体１１に伝達する回転方向を逆転する。しかし、たとえば図５に示すように、第２の駆動伝達ベルト５０の内周ではなく外周に歯を設け、２つのガイドピン５４・５５で案内してその第２の駆動伝達ベルト５０外周の歯を第３の中間プーリ４９に噛み合わすことにより感光体１１に伝達する回転方向を逆転し、第１の駆動伝達歯車４８と第２の駆動伝達歯車５１を省略することもできる。
【図面の簡単な説明】
【００５８】
【図１】この発明によるカラーレーザプリンタにおける内部機構の全体概略構成図である。
【図２】その現像装置まわりの部分拡大図である。
【図３】そのカラーレーザプリンタで使用する多色現像装置の斜視図である。
【図４】同カラーレーザプリンタで使用する駆動伝達系を示す斜視図である。
【図５】その駆動伝達系の他例を示す斜視図である。
【符号の説明】
【００５９】
１０  プリンタ装置本体
１１  感光体
１１ａ  駆動ローラ
１１ｂ  従動ローラ
１１ｃ  感光体ベルト
１６  中間転写体
１６ａ  駆動ローラ
１７  感光体クリーニング装置
１７ａ  クリーニング部材
２１  合成画像転写装置
２１ａ  転写ローラ
２２  中間転写体クリーニング装置
２２ａ  クリーニング部材
３５  プロセスカートリッジ
４０  駆動モータ
４１  第１の駆動伝達手段
４２  第２の駆動伝達手段
４５  歯付きの第１の駆動伝達ベルト
４６  カップリング
５０  歯付きの第２の駆動伝達ベルト
５２  カップリング
Ａ  画像書込み位置
Ｐ  用紙
【図１】
2004348168.tif 000003
【図２】
2004348168.tif 000004
【図３】
2004348168.tif 000005
【図４】
2004348168.tif 000006
【図５】
2004348168.tif 000007